(57)【要約】【課題】ボールスタッドが大きく傾斜し、ダストカバーが過大に変形したとしても、ダストカバーの押さえリングにより損傷を受けることがなく、長期間使用可能なボールジョイント用ダストカバーを提供することを目的とする。【解決手段】ボールスタッドの一端に形成された球頭部がソケット内に保持され、前記ボールスタッドの他端の軸はナックルに締め付け固定され、一端大径開口部が前記ソケットの外周面に円環状押さえリングにより固定保持され、他端小径開口部が前記軸に保持されたゴム状弾性材製ボールジョイント用ダストカバーにおいて、前記ダストカバーが変形した際、前記ダストカバーが前記押さえリングと当接する領域に厚肉となる突起部を備えた構成とした。【選択図】図２
2011064213.tif 000002
【特許請求の範囲】
【請求項１】
ボールスタッド（１）の一端に形成された球頭部（２）がソケット（３）内に保持され、前記ボールスタッド（１）の他端の軸（４）はナックル（５）に締め付け固定され、一端大径開口部（８）が前記ソケット（３）の外周面に円環状押さえリング（７）により固定保持され、他端小径開口部（１５）が前記軸（４）に保持されたゴム状弾性材製ボールジョイント用ダストカバー（６）において、前記ダストカバー（６）が変形した際、前記ダストカバー（６）が、前記押さえリング（７）と当接する領域に厚肉となる突起部（９）を備えたことを特徴とするボールジョイント用ダストカバー。
【請求項２】
前記突起部（９）が、前記ダストカバー（６）外周面全体に環状に形成されていることを特徴とする請求項１記載のボールジョイント用ダストカバー。
【請求項３】
前記突起部（９）が、前記ダストカバー（６）外周面に部分的に形成されていることを特徴とする請求項１記載のボールジョイント用ダストカバー。
【請求項４】
前記突起部（９）の断面形状が、略半円形状であることを特徴とする請求項１〜３のいずれか一項に記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては図３及び図４に記載のボールジョイント用ダストカバーが知られている。
【０００３】
この種ボールジョイント用ダストカバーのシール構造は、ボールスタッド１００の一端に形成された球頭部２００がソケット３００内に保持されている。
そして、ボールスタッド１００の他端の軸４００は、ナックル５００に締め付け固定されている。
一方、ゴム状弾性材製ダストカバー６００の一端大径開口部８００が、ソケット３００の外周面に円環状押さえリング７００により固定保持され、他端小径開口部１５０が軸４００に保持された構成となっている。
【０００４】
この種、従来のダストカバー６００は、ボールスタッド１００が傾斜すると、傾斜側（図上左側）のダストカバー６００の一部が、押さえリング７００の角部７０１に当接する。
この様な状態が繰り返されると、押さえリング７００により、ダストカバー６００は、摩耗・損傷を受け、やがて、ダストカバー６００が破れる問題を惹起した。
【先行技術文献】
【特許文献】
【０００５】
【特許文献１】実開平７−１０５４３号公報
【特許文献２】特開２０００−２４０８１２号公報
【発明の開示】
【発明が解決しようとする課題】
【０００６】
本発明は、このような課題に鑑みてなされたものであり、ボールスタッドが大きく傾斜し、ダストカバーが過大に変形したとしても、ダストカバーの押さえリングにより損傷を受けることがなく、長期間使用可能なボールジョイント用ダストカバーを提供することを目的とする。
【課題を解決するための手段】
【０００７】
本発明のボールジョイント用ダストカバーは、ボールスタッドの一端に形成された球頭部がソケット内に保持され、前記ボールスタッドの他端の軸はナックルに締め付け固定され、一端大径開口部が前記ソケットの外周面に円環状押さえリングにより固定保持され、他端小径開口部が前記軸に保持されたゴム状弾性材製ボールジョイント用ダストカバーにおいて、前記ダストカバーが変形した際、前記ダストカバーが、前記押さえリングと当接する領域に厚肉となる突起部を備える構成とした。
【発明の効果】
【０００８】
本発明は、以下に記載されるような効果を奏する。
請求項１記載の発明のボールジョイント用ダストカバーによれば、ボールスタッドが大きく傾斜し、ダストカバーが過大に変形したとしても、ダストカバーの押さえリングにより損傷を受けることがなく、長期間安定した使用が可能である。
【０００９】
更に、請求項２記載の発明のボールジョイント用ダストカバーによれば、ダストカバーのあらゆる方向の変形に対し、ダストカバーの押さえリングによる損傷を阻止出来る。
更に、請求項３記載の発明のボールジョイント用ダストカバーによれば、ダストカバーの変形特性を阻害することなく、ダストカバーの押さえリングによる損傷を阻止出来る。
【００１０】
更に、請求項４記載の発明のボールジョイント用ダストカバーによれば、ダストカバーの変形特性を阻害することなく、最小の突起部で、最大の効果が得られる。
【図面の簡単な説明】
【００１１】
【図１】本発明に係る、ボールジョイント用ダストカバーの縦断面図。
【図２】図１の要部拡大図。
【図３】従来技術に係る、ボールジョイント用ダストカバーの縦断面図。
【図４】図３の要部拡大図。
【発明を実施するための形態】
【００１２】
以下、本発明を実施するための形態について説明する。
図１及び図２に示される様に、本発明に係るボールジョイント用ダストカバーは、ボールスタッド１の一端に形成された球頭部２がソケット３内に保持されている。
そして、ボールスタッド１の他端の軸４は、ナックル５に締め付け固定されている。
【００１３】
一方、ゴム状弾性材製ダストカバー６の一端側の大径開口部８が、ソケット３の外周面に円環状押さえリング７により固定保持され、他端側の小径開口部１５が軸４に保持された構成となっている。
この円環状押さえリング７は、通常、バネ性を備えた金属材製である。
そして、図２に示す様に、ダストカバー６の大径開口部８側の外周面側であって、ダストカバー６が変形した際、ダストカバー６が、押さえリング７と当接する領域には、厚肉となる突起部９が備えられている。
【００１４】
この突起部９は、ダストカバー６外周面全体に環状に形成されているが、ダストカバー６外周面に部分的に形成する態様であっても良い。
また、突起部９の断面形状は、略半円形状であるが、四角形状や三角形状であっても良く、ダストカバー６を押さえリング７の損傷から守る機能を発揮するものであれば、どの様な形状であっても良い。
また、ダストカバー６内には、グリースが封入されている。
【００１５】
また、本発明は上述の発明を実施するための最良の形態に限らず本発明の要旨を逸脱することなくその他種々の構成を採り得ることはもちろんである。
【産業上の利用可能性】
【００１６】
自動車の懸架装置及び操舵装置等に使用されるボールジョイントに使用できる。
【符号の説明】
【００１７】
１    ボールスタット
２    球頭部
３    ソケット
４    軸
５    ナックル
６    ダストカバー
７    押さえリング
８    大径開口部
９    突起部
１５  小径開口部
【図１】
2011064213.tif 000003
【図２】
2011064213.tif 000004
【図３】
2011064213.tif 000005
【図４】
2011064213.tif 000006